(57)【特許請求の範囲】
【請求項１】
流入口に連通するとともに内部にストレーナが保持されるストレーナ取付室と、前記ストレーナ取付室と連通する連通路の連通用開口部を有する逆止弁取付室と、前記連通用開口部を閉塞することにより前記逆止弁取付室内より前記ストレーナ取付室内への流体の流入を阻止する逆止弁と、前記逆止弁取付室より流入する流体を吐出口に向けて吐出するポンプと、が同一のケーシングに設けられてなるポンプユニットにおいて、
前記ストレーナ取付室と前記逆止弁取付室とを隣接して設けるとともに、前記ストレーナ取付室の流出側と前記逆止弁取付室の流入側との間を連通する連通路を前記ケーシングの内部に設け、
前記ケーシングには、
前記ストレーナ取付室内に前記ストレーナを取り付けるために前記ストレーナ取付室に連通するストレーナ取付用開口部と、
前記ストレーナ取付用開口部に着脱自在に設けられ、当該ストレーナ取付用開口部を閉塞するストレーナ取付用蓋と、
同一側面に前記ストレーナ取付用開口部と並んで設けられ、前記逆止弁取付室内に前記逆止弁を取り付けるために前記逆止弁取付室に連通する逆止弁取付用開口部と、
前記逆止弁取付用開口部に着脱自在に設けられ、当該逆止弁取付用開口部を閉塞する逆止弁取付用蓋と、
が設けられてなることを特徴とするポンプユニット。
【請求項２】
前記逆止弁取付用開口部は、中心位置が前記ストレーナ取付用開口部の中心位置よりも高い位置に設けられていることを特徴とする請求項１に記載のポンプユニット。
【請求項３】
前記ストレーナ取付室に開口する前記連通路の連通用開口部の上端高さ位置は、前記ストレーナ取付室の上部高さ位置と同一の高さ位置以上の高さ位置となるように設けられるとともに、前記逆止弁取付室に設けられた前記ポンプへ流体を流出するための流出用開口部は、当該逆止弁取付室の天井に設けられ、前記逆止弁取付室の底面は、前記ストレーナ取付室の底面よりも高い位置に設けられていることを特徴とする請求項２に記載のポンプユニット。
【発明の詳細な説明】
【技術分野】
【０００１】
本発明はポンプユニットに係り、特に液体燃料を供給する燃料供給装置に搭載されるポンプユニットに関する。
【背景技術】
【０００２】
燃料供給装置の筐体内には、地下タンクに貯蔵された液体燃料を汲み上げてノズルに圧送するポンプユニットが搭載されている（例えば、特許文献１参照）。ポンプユニットは、流入口に連通するとともに内部にストレーナが保持されるストレーナ取付室と、ストレーナ取付室と連通する開口部を有する逆止弁取付室と、開口部を閉塞することにより逆止弁取付室内よりストレーナ取付室内への流体の流入を阻止する逆止弁と、逆止弁取付室より流入する流体を流出口に向けて吐出するポンプと、が同一のケーシングに設けられてなる。
【０００３】
また、ポンプユニットは、小型化、省スペース化のため、ストレーナ取付室が逆止弁取付室の奥に収納されており、逆止弁の弁体ガイド部がストレーナを保持するように構成されている。さらに、逆止弁取付室内に逆止弁を着脱するためにケーシングに形成された逆止弁取付用開口部を閉塞する蓋部材は、逆止弁を閉弁方向に付勢する付勢部材を保持するように取り付けられている。
【先行技術文献】
【特許文献】
【０００４】
【特許文献１】特開２００８−９５６１２号公報
【発明の概要】
【発明が解決しようとする課題】
【０００５】
従来のポンプユニットにおいては、ストレーナの交換又は清掃を行うメンテナンス作業を定期的に行う際、逆止弁の蓋部材を外してケーシング内に収納された付勢部材及び逆止弁を外してからその奥に挿入されたストレーナを取出すことになる。また、メンテナンス開始前に、蓋部材を逆止弁取付用開口部から外す際に当該逆止弁取付用開口部よりポンプユニット内の液体燃料が漏れ出ることを防止するために、予めケーシング底部のドレンボルトを外してポンプユニット内に残留する液体燃料を抜き取るが、ストレーナを交換する際には逆止弁も取り外すことになるため、逆止弁よりも下流側の液体燃料もポンプユニット内より排出しなくてはならない。そのため、従来は、ポンプユニット内の液体燃料の回収や除去作業に手間がかかるという問題があった。
【０００６】
そこで、本発明は上記事情に鑑み、上記課題を解決したポンプユニットの提供を目的とする。
【課題を解決するための手段】
【０００７】
上記課題を解決するため、本発明は以下のような手段を有する。
（１）本発明は、流入口に連通するとともに内部にストレーナが保持されるストレーナ取付室と、前記ストレーナ取付室と連通する連通路の連通用開口部を有する逆止弁取付室と、前記連通用開口部を閉塞することにより前記逆止弁取付室内より前記ストレーナ取付室内への流体の流入を阻止する逆止弁と、前記逆止弁取付室より流入する流体を吐出口に向けて吐出するポンプと、が同一のケーシングに設けられてなるポンプユニットにおいて、
前記ストレーナ取付室と前記逆止弁取付室とを隣接して設けるとともに、前記ストレーナ取付室の流出側と前記逆止弁取付室の流入側との間を連通する連通路を前記ケーシングの内部に設け、
前記ケーシングには、
前記ストレーナ取付室内に前記ストレーナを取り付けるために前記ストレーナ取付室に連通するストレーナ取付用開口部と、
前記ストレーナ取付用開口部に着脱自在に設けられ、当該ストレーナ取付用開口部を閉塞するストレーナ取付用蓋と、
同一側面に前記ストレーナ取付用開口部と並んで設けられ、前記逆止弁取付室内に前記逆止弁を取り付けるために前記逆止弁取付室に連通する逆止弁取付用開口部と、
前記逆止弁取付用開口部に着脱自在に設けられ、当該逆止弁取付用開口部を閉塞する逆止弁取付用蓋と、
が設けられてなることを特徴とする。
（２）本発明の前記逆止弁取付用開口部は、中心位置が前記ストレーナ取付用開口部の中心位置よりも高い位置に設けられていることを特徴とする。
（３）前記ストレーナ取付室に開口する前記連通路の連通用開口部の上端高さ位置は、前記ストレーナ取付室の上部高さ位置と同一の高さ位置以上の高さ位置となるように設けられるとともに、前記逆止弁取付室に設けられた前記ポンプへ流体を流出するための流出用開口部は、当該逆止弁取付室の天井に設けられ、前記逆止弁取付室の底面は、前記ストレーナ取付室の底面よりも高い位置に設けられていることを特徴とする。
【発明の効果】
【０００８】
本発明によれば、ストレーナを交換又は清掃する際に逆止弁が閉止状態を維持して逆止弁より下流側（流出側）の液体燃料が外部に流出することを防止でき、ストレーナのメンテナンス時の作業を効率良く行える。
【図面の簡単な説明】
【０００９】
【図１】本発明によるポンプユニットの一実施例を模式的に示す概略構成図である。
【図２】ポンプユニットにおける液体の流れを順に示す図である。
【図３Ａ】ケーシングの側面に配された各蓋部材の位置を示す側面図である。
【図３Ｂ】ケーシングの側面内部に形成されたロータ室と流入室との位置を示す縦断面図である。
【図４】ストレーナ取付部及び逆止弁取付部を示すポンプユニットの側面図である。
【図５】図４中Ｘ−Ｘ線に沿う縦断面図である。
【図６】図４中Ｙ−Ｙ線に沿う縦断面図である。
【図７】図５中Ｚａ−Ｚａ線に沿う縦断面図である。
【図８】図５中Ｚｂ−Ｚｂ線に沿う縦断面図である。
【発明を実施するための形態】
【００１０】
以下、図面を参照して本発明を実施するための形態について説明する。
【実施例１】
【００１１】
〔ポンプユニットの構成〕
図１は本発明によるポンプユニットの一実施例を模式的に示す概略構成図である。図２は本ポンプユニットにおける液体の流れを順に示す図である。尚、図１ではポンプユニットの全体構成を分かりやすく示すため、各部が上下位置及び前後位置、左右位置をずらして記載されており、後述する図３〜図８に示す位置とは異なる箇所に記載されている。
【００１２】
図１及び図２に示されるように、ポンプユニット１０は、例えば、ガソリンや軽油などの液体燃料（以下「液体」という）を供給する燃料供給装置に搭載され、地下タンク１２に貯蔵された燃料を汲み上げると共に、液体に含まれる気泡を分離させて流量計２０へ送液するように設けられている。尚、流量計２０で計測された液体燃料は、燃料供給装置のホース、ノズルを介して車両の燃料タンクに供給される。
【００１３】
ポンプユニット１０は、同一のケーシング３０の内部に流入室３１、ロータ室３２、空気分離室３３、流出経路３４、気液分離室３６が形成されている。流入室３１には、ケーシング３０の底部に開口する流入口３７に連通されたストレーナ取付室３８と、ストレーナ取付室３８の下流側（流出側）に隣接された逆止弁取付室３９とが設けられている。尚、ストレーナ取付室３８及び逆止弁取付室３９は、ケーシング３０の同じ側面に隣接して設けられている。さらに、ストレーナ取付室３８の流出側と逆止弁取付室３９の流入側との間は、連通路４５によって連通されている。
【００１４】
ストレーナ取付室３８は、ケーシング３０の側面から加工された第１開口（ストレーナ取付用開口部）３８ａと、開口３８ａの奥部に形成されたストレーナ受け部３８ｂとを有する。ストレーナ取付室３８には、ストレーナ４４が収納されている。また、ストレーナ４４は、流入口３７から流入された液体に含まれる異物を捕獲する金網からなり、円筒形状に形成されている。
【００１５】
ストレーナ４４は、第１開口３８ａから挿入され、一端（挿入側端部）がストレーナ受け部３８ｂに当接され、且つ他端（取出側端部）が第１開口３８ａに螺入された第１蓋部材（ストレーナ取付用蓋）４１Ａに当接される。第１蓋部材４１Ａは、ストレーナ取付室３８の開口３８ａを閉塞するように締結されると共に、ストレーナ４４をストレーナ取付室３８に保持する。第１蓋部材４１Ａの内側には、ストレーナ４４の端部が嵌合固定されている。そのため、第１蓋部材４１Ａをストレーナ取付室３８の開口３８ａから外すことにより、第１蓋部材４１Ａと共にストレーナ４４も取出すことができる。
【００１６】
ポンプ駆動により流入口３７から吸引された液体は、ストレーナ４４により濾過された後、連通路４５を通過して逆止弁取付室３９に流入する。
【００１７】
逆止弁取付室３９は、ストレーナ取付室３８の下流側に設けられ、ケーシング３０の側面から加工された第２開口（逆止弁取付用開口部）３９ａと、流入側逆止弁４０により開閉される弁座３９ｂとを有する。逆止弁取付室３９には、流入側逆止弁４０が開閉動作可能に取り付けられている。弁座３９ｂには、連通路４５に連通された連通用開口部３９ｃが設けられている。また、逆止弁取付室３９の天井には、ギヤポンプ４８のロータ室３２へ流体を流出するための流出用開口部３９ｄが設けられている。
【００１８】
流入側逆止弁４０は、コイルバネ４２のバネ力により弁座３９ｂの連通用開口部３９ｃを閉弁する方向に付勢されており、ポンプ駆動時のポンプ吸込み圧力（負圧）により連通用開口部３９ｃを開弁し、ポンプ停止時はポンプ吸込み圧力がなくなると連通用開口部３９ｃを閉止する。また、コイルバネ４２は、第２開口３９ａを閉塞する第２蓋部材（逆止弁取付用蓋）４１Ｂにより保持される。
【００１９】
流入側逆止弁４０は、ポンプ駆動又はポンプ停止に伴う負圧の変動に伴って連通用開口部３９ｃを開または閉とする開弁位置又は閉弁位置に動作する。従って、流入側逆止弁４０が開弁動作すると、連通用開口部３９ｃが開放されて連通路４５を流れた液体燃料が連通用開口部３９ｃから上方に配された流出用開口部３９ｄを通って吸込み側流路４６に流出される。
【００２０】
また、ストレーナ取付室３８及び逆止弁取付室３９は、別の位置に設けられているので、ストレーナ４４のメンテナンス時は、第１蓋部材４１Ａを外してストレーナ４４を取出すことが可能になり、第２蓋部材４１Ｂを閉止状態に保つことができる。従って、ストレーナ４４を交換又は清掃する際、第２蓋部材４１Ｂの内側に配された流入側逆止弁４０が閉弁状態であるため、弁座３９ｂより下流の液体が流出することが防止される。
【００２１】
尚、ストレーナ４４のメンテナンス時に第１蓋部材４１Ａを外す際は、予めケーシング３０の底部（即ち、連通用開口部３９ｃよりも上流側）に設けられたドレンボルト（図示せず）を外してストレーナ取付室３８の液体を抜き取ることになるが、連通用開口部３９ｃよりも下流側の液体のストレーナ取付室３８への流入は流入側逆止弁４０により阻止されるため、ドレンボルトを外すことによりストレーナ取付室３８内より流出する液体の残量が少量であり、その分、ストレーナ取付室３８内より排出された液体により周囲を汚すおそれが低減される。また、ストレーナ４４のメンテナンス時には、逆止弁取付室３９の第２蓋部材４１Ｂを外さないため、ロータ室３２及びロータ室３２より下流の空気分離室３３に残留する液体を抜き取る必要がなく、その分メンテナンス時間が短縮される。
【００２２】
逆止弁取付室３９の下流側には、ロータ室３２の吸込み側に連通された吸込み側流路４６及びロータ室３２が設けられている。ロータ室３２には、ギヤポンプ４８が設けられている。ギヤポンプ４８は、モータの回転駆動力を伝達されて回転するロータ５０と、ロータ５０により回転駆動されるピニオン５２とを有する。
【００２３】
ロータ５０は、ロータ室３２の内径に対応した円盤形状に形成されており、円盤状の平面には半円形状の係合部５０ａが回転方向（周方向）に所定のピッチ（間隔）で複数個設けられている。また、ピニオン５２は、回転軸５３により回転可能に支持されており、外周にはロータ５０の係合部５０ａに対応する半円形状の凹部５２ａが所定のピッチ（間隔）で複数個設けられている。
【００２４】
また、ロータ５０の回転中心とピニオン５２の回転中心とは、上下方向に偏心している。ピニオン５２の外周とロータ５０の内周との間には、偏心量に応じた三日月形状の仕切り部５１が設けられている。仕切り部５１の内周面５１ａは、ピニオン５２の外周が摺接するピニオン摺接面であり、仕切り部５１の外周面５１ｂは、ロータ５０の係合部５０ａが摺接するロータ摺接面である。
【００２５】
係合部５０ａがピニオン５２の凹部５２ａに係合することにより、ロータ５０がモータにより回転駆動されると共に、ピニオン５２も同一方向に回転駆動される。そして、ロータ室３２の負圧発生により流入側逆止弁４０が開弁し、ストレーナ４４を通過した液体がロータ室３２の吸込み口３２ａに吸引される。ギヤポンプ４８においては、ロータ５０及びピニオン５２が反時計方向に回転駆動すると共に、吸込み側流路４６から吸引された液体は、ピニオン５２の凹部５２ａ及びロータ５０の係合部５０ａ間に流入し、ロータ室３２の吐出口３２ｂに連通された吐出側流路４７へ吐出される。
【００２６】
さらに、ギヤポンプ４８から吐出された液体は、吐出側流路４７の下流に配された空気分離室３３へ流入される。空気分離室３３は、下流側がフィルタ５４に連通され、側壁には気体を含んだ気体富化液を気液分離室３６に回収するための気体富化液流入孔５８が設けられている。
【００２７】
気液分離室３６の底部には、液体をギヤポンプ４８のロータ室３２に戻す戻し孔６０が設けられ、天井には大気開放孔６２が設けられている。また、気液分離室３６には、戻し孔６０を開閉するフロート弁７０が設けられている。
【００２８】
フロート弁７０は、気液分離室３６内の気体富化液を含む液体の液面高さが所定高さ以上の場合に戻し孔６０を開弁する弁部を有する。
【００２９】
気液分離室３６において、液体に含まれる気泡（気体）は上部空間に浮上し、大気開放孔６２から大気中に放出される。また、気泡が分離された液体は、液面高さが所定高さに達したときフロート弁７０の開弁により戻し孔６０を通過して吸込み側流路４６に戻される。
【００３０】
また、空気分離室３３において、気体富化液が分離された液体は、フィルタ５４により濾過された後に流出経路３４を通過して流量計２０に供給される。尚、流出経路３４に設けられた流出側逆止弁６４は、ギヤポンプ４８によって送出された液体の圧力により開弁する。
【００３１】
また、ポンプユニット１０には、リリーフ弁８０が設けられている。流路内の液圧が必要以上に高まった場合等に、フィルタ５４により濾過された液体の一部は、リリーフ弁８０を開弁させてギヤポンプ４８のロータ室３２に戻される。リリーフ弁８０は、コイルバネ８２のばね力により閉弁方向に付勢されており、流出経路３４の吐出圧力と、コイルバネ８２のばね力にロータ室３２の吸込み圧力を加えた合力との差に応じて開閉する。従って、リリーフ弁８０は、コイルバネ８２のばね力と吐出圧力と吸込み圧力の合力のつり合いにより、開弁と閉弁を繰り返す。
【００３２】
〔ストレーナ取付室３８及び逆止弁取付室３９の構成〕
図３Ａはケーシング３０の側面に配された各蓋部材４１Ａ〜４１Ｅの位置を示す側面図である。図３Ａに示されるように、ケーシング３０の側面には、各蓋部材４１Ａ〜４１Ｅが取り付けられている。第１蓋部材４１Ａは、ストレーナ用蓋部材であり、第２蓋部材４１Ｂは、流入側逆止弁用蓋部材である。また、第３蓋部材４１Ｃは、ロータ室蓋部材であり、第２蓋部材４１Ｂの上方に取り付けられている。第４蓋部材４１Ｄは、リリーフ弁用蓋部材であり、第５蓋部材４１Ｅは空気分離室用蓋部材である。
【００３３】
図３Ｂはケーシング３０の側面内部に形成されたロータ室３２と流入室３１との位置を示す縦断面図である。図３Ｂに示されるように、ロータ室３２は、流入室３１の上方に設けられている。また、流入室３１には、ストレーナ取付室３８と逆止弁取付室３９との間を連通する連通路４５が形成されている。
【００３４】
図４はストレーナ取付部及び逆止弁取付部を示すポンプユニットの側面図である。図５は図４中Ｘ−Ｘ線に沿う縦断面図である。図６は図４中Ｙ−Ｙ線に沿う縦断面図である。
【００３５】
図４に示されるように、ポンプユニット１０の側面には、ストレーナ取付室３８及び逆止弁取付室３９が並設されている。ストレーナ取付室３８の開口３８ａは、第１蓋部材４１Ａにより閉塞されており、逆止弁取付室３９の開口３９ａは、第２蓋部材４１Ｂにより閉塞されている。従って、ストレーナ取付室３８に収納されたストレーナ４４の交換又は清掃を行う場合、第１蓋部材４１Ａをケーシング３０から外すことにより、ストレーナ４４のメンテナンスを容易に行える。このとき、第２蓋部材４１Ｂは、閉止状態のままであるので、逆止弁取付室３９の流入側逆止弁４０は、閉弁状態を維持している。そのため、ストレーナ４４のメンテナンス作業を行う際に流入側逆止弁４０より下流に貯留された液体が外部に流出することが無く、メンテナンス作業時の液体流出に伴う負担が軽減される。その結果、メンテナンス作業の効率が高められる。
【００３６】
また、ストレーナ取付室３８の中心Ｏ１と逆止弁取付室３９の中心Ｏ２とは、上下方向に距離Ｌずらして設けられているので、第１蓋部材４１Ａが第２蓋部材４１Ｂよりも低位置に設けられている。そのため、第１蓋部材４１Ａと第２蓋部材４１Ｂとを間違えるおそれがなく、ストレーナ４４のメンテナンス時に誤って第１蓋部材４１Ａよりも高い位置に設けられた第２蓋部材４１Ｂを外すことが防止される。
【００３７】
図５に示されるように、ストレーナ取付室３８は、流入口３７に連通された流入室３１に形成されており、ストレーナ４４の挿入側端部が当接するストレーナ受け部３８ｂを有する。ストレーナ４４は、ストレーナ受け部３８ｂと第１蓋部材４１Ａとの間で保持される。ストレーナ４４は、円筒形状であるので、流入口３７から流入された液体は、ストレーナ４４の中心側から外周側に流れて連通路４５に至る。
【００３８】
図６に示されるように、流入側逆止弁４０は、弁座３９ｂを閉止するようにコイルバネ４２のばね力により付勢されている。また、閉弁状態の流入側逆止弁４０は、中心部より弁座３９ｂ側に突出する軸４０ａが、連通路４５の内壁に設けられた軸受け４５ｃにより支持され、弁座３９ｂにおける閉弁時のシール性が確保される。
【００３９】
連通路４５の下流に配された弁座３９ｂは、内周縁が逆止弁取付室３９の天井付近に位置するように取り付けられている。そのため、流入側逆止弁４０が開弁動作した場合、連通路４５の天井付近の気泡が滞留せず、液体の流れと共に弁座３９ｂを通過してロータ室３２へ移動する。これにより、連通路４５の天井付近に気泡が集まりにくくなり、気泡による空気溜りの発生が防止されている。そのため、流量計２０に供給される液体に気泡がまとまった空気が混入して計測誤差が生じることを防止できる。
【００４０】
図７は図５中Ｚａ−Ｚａ線に沿う縦断面図である。図７に示されるように、上流側のストレーナ取付室３８の中心Ｏ１に対して下流側の逆止弁取付室３９の中心Ｏ２は、距離Ｌ上方向にずらしてある。これにより、第２開口３９ａの上部が連通路４５の天井付近に位置することになる。
【００４１】
流入室３１の天井３１ａの壁面は、表面に凹凸が無い略水平な平面に形成されており、液体中に含まれる気泡が天井３１ａ付近に上昇しても１箇所に集中しないように構成されている。そのため、流量計２０に供給される液体に気泡がまとまった空気が混入して計測誤差が生じることを防止できる。
【００４２】
図８は図５中Ｚｂ−Ｚｂ線に沿う縦断面図である。図８に示されるように、連通路４５においては、ストレーナ取付室３８の周囲の空間４５ａは上下方向の高さＨａが大きく形成され、逆止弁取付室３９の空間４５ｂは上下方向の高さＨｂ（＜Ｈａ）が小さく形成されている。そのため、流入側逆止弁４０が開弁動作した場合、連通路４５の広い区間４５ａより狭い空間４５ｂでの流路面積が絞られている分、狭い空間４５ｂにおける流速が高くなるため、空間４５ｂの天井付近における気泡の滞留が発生しにくい構成になっている。よって、流量計２０に供給される液体に気泡がまとまった空気が混入して計測誤差が生じることを防止できる。
【００４３】
また、逆止弁取付室３９の右側内壁の形状が、連通用開口部３９ｃの輪郭形状（円形）に沿うように半円形状に形成されているので、液体に含まれた気泡が連通用開口部３９ｃの上方及び側方にも滞留せず、気泡が液体の流れと共に連通用開口部３９ｃを通過して上方の流出用開口部３９ｄへ流出しやすい構成になっている。そのため、連通用開口部３９ｃの上流側（弁座３９ｂの内側）に気泡が溜ることが無く、多数の気泡が集合して大きな空気の塊に成長することが抑制される。これにより、流量計２０に供給される液体中の気泡がまとまって流出することがないので、流量計２０における計測誤差を抑制できる。
【００４４】
更に、ストレーナ取付室３８の流入室３１の上面の高さは連通路４５の流入室３１への開口部の上端高さと略同一に形成されている。即ち、流入室３１に連通する連通路４５の空間４５ｂ及び連通用開口部３９ｃの上端高さ位置は、ストレーナ取付室３８の天井３１ａ（上部高さ位置）と同一の高さ位置とされている。これにより、流入室３１の上面に気泡が滞留することなく当該気泡は速やかに連通路４５を介して及び逆止弁取付室３９内に流出し、逆止弁取付室３９の上面に設けられた流出用開口部３９ｄより速やかに流出することとなる。
【００４５】
そのため、流量計２０に供給される液体に気泡がまとまった空気が混入して計測誤差が生じることを防止できる。なお、本実施例においては、ストレーナ取付室３８の流入室３１の上面の高さは連通路４５の流入室３１への開口部の上端高さと略同一に形成されているが、必ずしも高さを一致させる必要は無く、連通路４５の流入室３１への開口部の上端高さをストレーナ取付室３８の流入室３１の上面の高さよりも高くすることによっても、流入室３１内の上面に気泡が滞留するのを防止できる。
【００４６】
また、本実施例では、空間４５ｂ及び連通用開口部３９ｃの上端高さ位置を、ストレーナ取付室３８の天井３１ａ（上部高さ位置）と同一の高さ位置としているが、空間４５ｂ及び連通用開口部３９ｃの上端高さ位置がストレーナ取付室３８の天井３１ａよりも高い位置となるように構成しても良い。この場合、天井３１ａがストレーナ取付室３８側で低く逆止弁取付室３９側で高くなるように傾斜することになるので、液体の流れ方向と気泡の浮力による移動方向が同じになり、気泡が滞留せずに下流側へ流出しやすくなる。
【産業上の利用可能性】
【００４７】
上記実施例では、ギヤポンプを用いた構成を例に挙げて説明したが、これに限らず、例えばベーン形ポンプを用いた構成にも本発明が適用できるのは勿論である。
【００４８】
また、上記実施例では、空気分離室３３及び気液分離室３６がケーシング３０内に設けられた構成のものを一例として挙げたが、空気分離室３３及び気液分離室３６がケーシング３０と別体に設けられた構成のものにも本発明が適用できるのは勿論である。
【符号の説明】
【００４９】
１０  ポンプユニット
１２  地下タンク
２０  流量計
３０  ケーシング
３１  流入室
３２  ロータ室
３３  空気分離室
３４  流出経路
３６  気液分離室
３７  流入口
３８  ストレーナ取付室
３８ａ  第１開口
３８ｂ  ストレーナ受け部
３９  逆止弁取付室
３９ａ  第２開口
３９ｂ  弁座
３９ｃ  連通用開口部
３９ｄ  流出用開口部
４０  流入側逆止弁
４１Ａ〜４１Ｄ  第１〜第５蓋部材
４４  ストレーナ
４５  連通路
４５ａ、４５ｂ  空間
４６  吸込み側流路
４７  吐出側流路
４８  ギヤポンプ
５０  ロータ
５０ａ  係合部
５１  仕切り部
５２  ピニオン
５２ａ  凹部
５３  回転軸
５４  フィルタ
６０  戻し孔
６４  流出側逆止弁
７０  フロート弁
８０  リリーフ弁
【図１】
0005826048.tif 000002
【図２】
0005826048.tif 000003
【図３Ａ】
0005826048.tif 000004
【図３Ｂ】
0005826048.tif 000005
【図４】
0005826048.tif 000006
【図５】
0005826048.tif 000007
【図６】
0005826048.tif 000008
【図７】
0005826048.tif 000009
【図８】
0005826048.tif 000010